【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
複数のＯＦＤＭ無線通信デバイスと、
前記複数のＯＦＤＭ無線通信デバイスのうちの、第１のＯＦＤＭ信号音のセットを使用する第１のグループとして選択されたものと通信するように構成された第１の基地局と、
前記複数のＯＦＤＭ無線通信デバイスのうちの前記選択されたものに、前記第１のＯＦＤＭ信号音のセットを使用して前記第１の基地局からデータを受信することを指示するように構成された、第１の基地局制御装置と、
を含み、前記複数のＯＦＤＭ無線通信デバイスのうちの前記選択されたものが、前記第１の基地局から、グループ通信としてデータを受信する、直交周波数分割多重（ＯＦＤＭ）無線通信システム。
【請求項２】
前記第１のＯＦＤＭ信号音のセットが、利用可能なＯＦＤＭ信号音のセットから選択され、非連続的なＯＦＤＭ信号音である、請求項１に記載のシステム。
【請求項３】
前記第１のＯＦＤＭ信号音のセット内のＯＦＤＭ信号音の数が、前記グループ通信に関する帯域幅要件に基づいて選択される、請求項１に記載のシステム。
【請求項４】
前記第１のＯＦＤＭ信号音のセット内のＯＦＤＭ信号音の数が、前記グループ通信に関する前記帯域幅要件が変化した場合には、警告を受け、前記グループ通信に関する前記帯域幅要件が増大した場合には、追加のＯＦＤＭ信号音が、前記第１のＯＦＤＭ信号音のセットに加えられ、前記グループ通信に関する前記帯域幅要件が減少した場合には、ＯＦＤＭ信号音が、前記第１のＯＦＤＭ信号音のセットから削除される、請求項３に記載のシステム。
【請求項５】
前記第１の基地局制御装置が、前記複数のＯＦＤＭ無線通信デバイスのうちの前記選択されたもの以外の、追加のＯＦＤＭ無線通信デバイスに、前記第１のＯＦＤＭ信号音のセットを使用して前記第１の基地局からデータを受信することを指示するように更に構成され、前記追加のＯＦＤＭ無線通信デバイスが、前記第１のＯＦＤＭ信号音のセットを使用して、前記第１のグループの一部として前記第１の基地局からデータを受信する、請求項１に記載のシステム。
【請求項６】
前記第１の基地局が、前記複数のＯＦＤＭ無線通信デバイスのうちの１つから通信を受信し、前記第１のＯＦＤＭ信号音のセットを使用して前記通信を送信することにより、前記第１のＯＦＤＭ無線通信デバイスのグループが、前記１つの無線通信デバイスからの前記メッセージを、グループとして受信する、請求項１に記載のシステム。
【請求項７】
前記１つの無線通信デバイス上に、前記第１の基地局への前記メッセージの送信を開始させるためのプッシュ・トゥ・トークボタンを更に含む、請求項６に記載のシステム。
【請求項８】
第２の基地局であって、前記第１のグループの一部として、前記第２の基地局の受信可能領域の範囲内の前記複数のＯＦＤＭ無線通信デバイスの一部分と通信するように構成され、第２のＯＦＤＭ信号音のセットを使用する、第２の基地局と、
前記複数のＯＦＤＭ無線通信デバイスの前記一部分に、前記第２のＯＦＤＭ信号音のセットを使用して前記第２の基地局からデータを受信することを指示するように構成された、第２の基地局制御装置と、
を更に含み、前記第２のＯＦＤＭ信号音のセットを使用する前記複数のＯＦＤＭ無線通信デバイスの前記一部分が、前記第１のグループの一部として前記第２の基地局からデータを受信する、請求項１に記載のシステム。
【請求項９】
前記第１の基地局および前記第２の基地局の一方が、前記第１のグループ内の前記ＯＦＤＭ無線通信デバイスの１つから通信を受信して、前記第１の基地局および前記第２の基地局のもう一方に前記通信を送信し、前記第１の基地局は、前記第１のＯＦＤＭ信号音のセットを使用して、前記複数のＯＦＤＭ無線通信デバイスのうちの前記選択されたものに前記通信を送信するように更に構成され、前記第２の基地局は、前記第２のＯＦＤＭ信号音のセットを使用して、前記第２の基地局の前記受信可能領域の範囲内の前記複数のＯＦＤＭ無線通信デバイスの前記一部分に前記通信を送信するように更に構成されることにより、前記第１のＯＦＤＭ無線通信デバイスのグループが、前記１つの無線通信デバイスからの前記メッセージを、グループとして受信する、請求項８に記載のシステム。
【請求項１０】
前記第１のＯＦＤＭ信号音のセットおよび前記第２のＯＦＤＭ信号音のセットが、同一のＯＦＤＭ信号音のセットである、請求項８に記載のシステム。
【請求項１１】
前記第１の基地局制御装置および前記第２の基地局制御装置が、同一の基地局制御装置の部分である、請求項８に記載のシステム。
【請求項１２】
前記呼び出しグループ内の前記複数のＯＦＤＭ無線通信デバイスの１つが、基地局の受信機に通信を送信するように構成され、前記呼び出しグループ内の前記複数の無線通信デバイスの他のものが、基地局の送信機からグループとして受信するように構成される、請求項１に記載のシステム。
【請求項１３】
前記呼び出しグループ内の前記複数のＯＦＤＭ無線通信デバイスの前記１つの上に、前記基地局の受信機への前記メッセージの送信を開始させるためのプッシュ・トゥ・トークボタンを更に含む、請求項１２に記載のシステム。
【請求項１４】
前記基地局の受信機および前記基地局の送信機が、同一基地局の部分である、請求項１２に記載のシステム。
【請求項１５】
複数のＯＦＤＭ無線通信デバイスと通信するための直交周波数分割多重（ＯＦＤＭ）無線通信システムであって、前記システムが、
前記複数のＯＦＤＭ無線通信デバイスのうちの、第１のＯＦＤＭ信号音のセットを使用する第１のグループとして選択されたものと通信するように構成された、第１の基地局と、
前記複数のＯＦＤＭ無線通信デバイスのうちの前記選択されたものに、前記第１のＯＦＤＭ信号音のセットを使用して前記第１の基地局からデータを受信することを指示するように構成された、第１の基地局制御装置と、
を含み、前記複数のＯＦＤＭ無線通信デバイスのうちの前記選択されたものが、前記基地局から、グループ通信としてデータを受信する、システム。
【請求項１６】
前記第１のＯＦＤＭ信号音のセットが、利用可能なＯＦＤＭ信号音のセットから選択され、非連続的なＯＦＤＭ信号音である、請求項１５に記載のシステム。
【請求項１７】
前記第１の基地局制御装置が、前記複数のＯＦＤＭ無線通信デバイスのうちの前記選択されたもの以外の、追加のＯＦＤＭ無線通信デバイスに、前記第１のＯＦＤＭ信号音のセットを使用して前記第１の基地局からデータを受信することを指示するように更に構成され、前記追加のＯＦＤＭ無線通信デバイスが、前記第１のＯＦＤＭ信号音のセットを使用して、前記第１のグループの一部として前記第１の基地局からデータを受信する、請求項１５に記載のシステム。
【請求項１８】
呼び出しグループ内の複数の無線通信デバイスであって、それぞれが、
データを送信するように構成されたＯＦＤＭ送信機と、
複数のＯＦＤＭ副搬送波チャネルを使用してデータを受信するように構成されたＯＦＤＭ受信機と、
を有する、呼び出しグループ内の複数の無線通信デバイス
を含み、前記呼び出しグループ内の前記複数の無線通信デバイスのそれぞれが、前記複数のＯＦＤＭチャネルを指定する命令を受信するように構成され、前記呼び出しグループ内の前記複数の無線通信デバイスのそれぞれの中の前記ＯＦＤＭ受信機が、同一の複数のＯＦＤＭチャネルを使用する、直交周波数分割多重（ＯＦＤＭ）無線通信システム。
【請求項１９】
複数のＯＦＤＭ無線通信デバイスと通信するための直交周波数分割多重（ＯＦＤＭ）無線通信を使用する通信方法であって、前記方法が、
前記複数のＯＦＤＭ無線通信デバイスのうちの選択されたものの相互間にグループ呼び出しを確立する要求を受信することと、
前記複数のＯＦＤＭ無線通信デバイスのうちの前記選択されたものに、第１のＯＦＤＭ信号音のセットを使用してグループ呼び出しデータを受信するように指示し、前記グループ呼び出しに関与する前記複数のＯＦＤＭ無線通信デバイスのうちの前記選択されたもののそれぞれが、前記グループ呼び出しデータを受信するために前記第１のＯＦＤＭ信号音のセットを使用するように構成されることと、
前記第１のＯＦＤＭ信号音のセットを使用して、前記グループ呼び出しデータを受信することと、
を含む、方法。
【請求項２０】
前記第１のＯＦＤＭ信号音のセットが、利用可能なＯＦＤＭ信号音のセットから選択され、非連続的なＯＦＤＭ信号音である、請求項１９に記載の方法。
【請求項２１】
前記複数のＯＦＤＭ無線通信デバイスのうちの前記選択されたもの以外の、追加のＯＦＤＭ無線通信デバイスに、前記第１のＯＦＤＭ信号音のセットを使用してデータを受信することを指示し、前記追加のＯＦＤＭ無線通信デバイスが、前記グループ呼び出しに関与することを更に含む、請求項１９に記載の方法。
【請求項２２】
前記複数のＯＦＤＭ無線通信デバイスのうちの前記選択されたものの第１の部分が、第１の基地局の受信可能領域の範囲内にあり、前記複数のＯＦＤＭ無線通信デバイスのうちの前記選択されたものの第２の部分が、第２の基地局の受信可能領域の範囲内にある、請求項１９に記載の方法であって、前記方法が、
前記複数のＯＦＤＭ無線通信デバイスの前記第１の部分に、前記第１のＯＦＤＭ信号音のセットを使用してデータを受信することを指示し、前記グループ呼び出しに関与する前記複数のＯＦＤＭ無線通信デバイスの前記第１の部分のそれぞれが、前記グループ呼び出しデータを受信するために前記第１のＯＦＤＭ信号音のセットを使用するように構成されることと、
前記複数のＯＦＤＭ無線通信デバイスの前記第２の部分に、前記第２のＯＦＤＭ信号音のセットを使用してデータを受信することを指示し、前記グループ呼び出しに関与する前記複数のＯＦＤＭ無線通信デバイスの前記第２の部分のそれぞれが、前記グループ呼び出しデータを受信するために前記第２のＯＦＤＭ信号音のセットを使用するように構成されることと、
前記複数のＯＦＤＭ無線通信デバイスの前記第１の部分が、前記第１のＯＦＤＭ信号音のセットを使用して、前記第１の基地局から前記グループ呼び出しデータを受信することと、
前記複数のＯＦＤＭ無線通信デバイスの前記第２の部分が、前記第２のＯＦＤＭ信号音のセットを使用して、前記第２の基地局から前記グループ呼び出しデータを受信することと、
を更に含む、方法。
【請求項２３】
前記第１のＯＦＤＭ信号音のセットが、利用可能なＯＦＤＭ信号音のセットから選択され、非連続的なＯＦＤＭ信号音である、請求項２２に記載の方法。
【請求項２４】
前記第１のＯＦＤＭ信号音のセットおよび前記第２のＯＦＤＭ信号音のセットが、同一のＯＦＤＭ信号音のセットである、請求項２２に記載の方法。